(57)【要約】【課題】簡単且つ安価で変形に強い吊り下げ陳列用製品包装ケースを提供する。【解決手段】物品収納部の一端に備えた開口部の短辺には，前記開口部の一方の短辺端から折り曲げ線を介して外方向に，当該開口部の長辺側寸法の半分より短い寸法に延設された一方の短辺側舌片と，前記開口部の他方の短辺端から折り曲げ線を介して外方向に，当該開口部の長辺側寸法の半分より長く，前記開口部の長辺側の寸法よりやや短い範囲内の寸法に延設された他方の短辺側舌片とを備え，前記一対の短辺側舌片を前記折り曲げ線に沿って内方向に折り曲げたときに，前記一方の短辺側舌片と前記他方の短辺側舌片とが相互に重なるように構成し，開口部の長辺側に延設した長辺側舌片で前記開口部を閉鎖すると共に，開口部の長辺側に延設した長辺側係止部に係止孔を備えたことを特徴とした吊り下げ陳列用製品包装ケース。【選択図】  図２
2005335721.tif 000002
【特許請求の範囲】
【請求項１】
少なくとも一端に開口部を備え箱状に形成した物品収納部と，
前記開口部の両短辺端から折り曲げ線を介して外方向に延設された短辺側舌片と，
その長辺の一方側に連続して外方向に延設され，少なくとも先端係止片と中間係止片と，当該各係止片が相互に重なるように内方向に折畳み可能な折畳線と，前記先端係止片を前記折畳線に沿って内方向に折畳んで，この先端部を開口部に折込んだ時に，前記先端係止片と前記中間係止片の相対向した位置に配設される吊り下げ陳列用フックを挿入可能な吊り下げ孔とを備えた長辺側係止部と，
前記開口部の他方の長辺側に折り曲げ線を介して外方向に延設され，中間舌片と先端舌片と当該中間舌片と先端舌片との間に形成された折り曲げ線とからなり，前記折り曲げ線に沿って内方向に折り曲げることで，前記先端舌片を前記開口部に折り込んで，当該開口部を封鎖可能にした長辺側舌片と，からなり，前記係止部によって吊り下げ陳列用フックに吊り下げ陳列可能な製品包装ケースにおいて，
前記短辺側舌片は，前記開口部の一方の短辺端から折り曲げ線を介して外方向に，当該開口部の長辺側寸法の半分より短い寸法に延設された一方の短辺側舌片と，前記開口部の他方の短辺端から折り曲げ線を介して外方向に，当該開口部の長辺側寸法の半分より長く，前記開口部の長辺側の寸法よりやや短い範囲内の寸法に延設された他方の短辺側舌片とからなり，
前記一対の短辺側舌片を前記折り曲げ線に沿って内方向に折り曲げたときに，前記一方の短辺側舌片と前記他方の短辺側舌片とが相互に重なるように構成したことを特徴とした吊り下げ陳列用製品包装ケース。
【請求項２】
前記吊り下げ陳列用包装ケースを展開した状態において，前記長辺側舌片及び前記他方の短辺側舌片と前記開口部との間に形成された折り曲げ線は，同一線上に位置するように形成され，前記一方の短辺側舌片と前記開口部との間に形成された折り曲げ線は，前記長辺側舌片及び前記他方の短辺側舌片と前記開口部との間に形成された折り曲げ線より，前記ケースの肉厚分だけ当該ケースの底面方向に形成したことを特徴とした請求項１に記載の吊り下げ陳列用製品包装ケース。
【請求項３】
前記ケースは合成樹脂材料から形成されたことを特長とした請求項１又は請求項２に記載の吊り下げ陳列用包装ケース。
【発明の詳細な説明】
【技術分野】
【０００１】
本発明は，製品陳列用の前方に突出するフックに吊り下げて陳列する包装ケースに関するものである。
【背景技術】
【０００２】
従来の吊り下げ陳列用製品包装ケースは，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端吊り下げ部と中間吊り下げ部と，当該各吊り下げ部が相互に重なるように内方向に折畳み可能な折畳線と，前記先端吊り下げ部と中間吊り下げ部とが相互に重なった時に，相対向した位置に配設される吊り下げ陳列用フックを挿入可能な吊り下げ孔とを備えた長辺側吊り下げ部と，前記開口部の他方の長辺側に折り曲げ線を介して外方向に延設され，前記開口部を封鎖可能にした長辺側舌片と，からなり，前記折畳線で折り曲げて二重として強度をもたせた前記吊り下げ部によって，吊り下げ陳列用フックに吊り下げ陳列するようにしていた。
その吊り下げ部が形成された長辺と対向する位置にある長辺に形成され，商品の取り出し口を封鎖するための長辺側舌辺は，前記吊り下げ部の内側の開口部にその先端部を挿入係止するように構成されており，この舌片の先端部の両端部側には，舌片の端面に垂直方向にスリットが形成されており，短辺側舌片を折り曲げ線に沿って内方向に折り曲げた後，前記舌片を開口部に折込んだ時に，前記スリットと短辺側舌片とを嵌合させて，舌片が簡単に開いてしまわないように構成されていた。
（例えば，特許文献１，図８の従来例参照）
また，前記吊り下げ部から側面以外の各面が連続して形成すると共に，前吊り下げ部と後吊り下げ部とを糊付することによりパッケージ形成して，側面の広い開口部から製品の入れ出しがスムーズにできる吊り下げ陳列用製品包装ケースが提示されている。
（例えば，特許文献１参照）
【０００３】
【特許文献１】特開平７−２２３６３１号公報
【発明の開示】
【発明が解決しようとする課題】
【０００４】
しかし，従来の吊り下げ陳列用製品包装ケースによれば，吊り下げ部は強度をもたせるために折り返して二重となるように構成して補強をし，商品の取り出し口を封鎖するための舌辺も，容易に開いてしまわないように形成されていたとしても，例えば包装ケースの外方向から斜めに力が加わることによって，当該包装ケースが押しつぶされるようになった場合，前記舌片に形成したスリットと短辺側舌片との嵌合による係止では，係止を維持できなくなる場合があって，舌片が開いてしまうといった問題があった。 
【０００５】
また，上述の例のように，吊り下げ部から側面以外の各面が連続して形成されると共に，前吊り下げ部と後吊り下げ部とを糊付することによりパッケージ形成して，側面の広い開口部から製品の入れ出しがスムーズにできるよう構成された吊り下げ陳列用製品包装ケースでは，前記前吊り下げ部と連続的に物品収納部の上部を封鎖する端面が一体形成されると共に，前記吊り下げ部と後吊り下げ部を糊付けすることにより，包装ケースの外方向から押しつぶすように加わる力に対して強度が強くなるのであるが，製造工程が複雑となり，延いてはコストアップの要因となっていた。
そこで本願においては，こうした問題点を解決するためになされたものであり，
その目的は，外方向からの力に対しても強度の強い吊り下げ陳列用製品包装ケースを提供することにある。
他の目的は，簡単な構成で安価に且つ信頼性の高い吊り下げ陳列用製品包装ケースを提供することにある。
他の目的は，外方向からの力に対しても変形のし難い吊り下げ陳列用製品包装ケースを提供することにある。
【課題を解決するための手段】
【０００６】
請求項１の発明は，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端係止片と中間係止片と，当該各係止片が相互に重なるように内方向に折畳み可能な折畳線と，前記先端係止片を前記折畳線に沿って内方向に折畳んで，この先端部を開口部に折込んだ時に，前記先端係止片と前記中間係止片の相対向した位置に配設される吊り下げ陳列用フックを挿入可能な吊り下げ孔とを備えた長辺側係止部と，前記開口部の他方の長辺側に折り曲げ線を介して外方向に延設され，中間舌片と先端舌片と当該中間舌片と先端舌片との間に形成された折り曲げ線とからなり，前記折り曲げ線に沿って内方向に折り曲げることで，前記先端舌片を前記開口部に折り込んで，当該開口部を封鎖可能にした長辺側舌片と，からなり，前記係止部によって吊り下げ陳列用フックに吊り下げ陳列可能な製品包装ケースにおいて，
前記短辺側舌片は，前記開口部の一方の短辺端から折り曲げ線を介して外方向に，当該開口部の長辺側寸法の半分より短い寸法に延設された一方の短辺側舌片と，前記開口部の他方の短辺端から折り曲げ線を介して外方向に，当該開口部の長辺側寸法の半分より長く，前記開口部の長辺側の寸法よりやや短い範囲内の寸法に延設された他方の短辺側舌片とからなり，前記一対の短辺側舌片を前記折り曲げ線に沿って内方向に折り曲げたときに，前記一方の短辺側舌片と前記他方の短辺側舌片とが相互に重なるように構成される。
【０００７】
請求項２の発明は，請求項１に記載の吊り下げ陳列用製品包装ケースにおいて，前記吊り下げ陳列用包装ケースを展開した状態で，前記長辺側舌片及び前記他方の短辺側舌片と前記開口部との間に形成された折り曲げ線は，同一線上に位置するように形成され，前記一方の短辺側舌片と前記開口部との間に形成された折り曲げ線は，前記長辺側舌片及び前記他方の短辺側舌片と前記開口部との間に形成された折り曲げ線より，前記ケースの肉厚分だけ当該ケースの底面方向に形成する。
【０００８】
請求項３の発明は，請求項１又は請求項２に記載の吊り下げ陳列用包装ケースにおいて，前記ケースは合成樹脂材料から形成される。
【発明の効果】
【０００９】
請求項１の発明によれば，少なくとも一端に開口部を備え箱状に形成した物品収納部と，前記開口部の両短辺端から折り曲げ線を介して外方向に延設された短辺側舌片と，その長辺の一方側に連続して外方向に延設され，少なくとも先端係止片と中間係止片と，当該各係止片が相互に重なるように内方向に折畳み可能な折畳線と，前記先端係止片を前記折畳線に沿って内方向に折畳んで，この先端部を開口部に折込んだ時に，前記先端係止片と前記中間係止片の相対向した位置に配設される吊り下げ陳列用フックを挿入可能な吊り下げ孔とを備えた長辺側係止部と，前記開口部の他方の長辺側に折り曲げ線を介して外方向に延設され，中間舌片と先端舌片と当該中間舌片と先端舌片との間に形成された折り曲げ線とからなり，前記折り曲げ線に沿って内方向に折り曲げることで，前記先端舌片を前記開口部に折り込んで，当該開口部を封鎖可能にした長辺側舌片と，からなり，前記係止部によって吊り下げ陳列用フックに吊り下げ陳列可能な製品包装ケースにおいて，
前記短辺側舌片は，前記開口部の一方の短辺端から折り曲げ線を介して外方向に，当該開口部の長辺側寸法の半分より短い寸法に延設された一方の短辺側舌片と，前記開口部の他方の短辺端から折り曲げ線を介して外方向に，当該開口部の長辺側寸法の半分より長く，前記開口部の長辺側の寸法よりやや短い範囲内の寸法に延設された他方の短辺側舌片とからなり，前記一対の短辺側舌片を前記折り曲げ線に沿って内方向に折り曲げたときに，前記一方の短辺側舌片と前記他方の短辺側舌片とが相互に重なるように構成したので,
この包装ケースは材料自体の強度と，前記長辺側舌片と前記短辺側舌片との嵌合によってその力を吸収するばかりでなく，前記短いほうの短辺側舌片と長辺側舌片の中間舌片との間に挟まれた，前記長いほうの短辺側舌片の先端部が，包装ケースの変形に合わせて，包装ケースの前面や後面の内側面に当接するよう構成されることによって，前記外圧によって包装ケースが変形しようとする力を更に吸収ことになる。これによって負荷が大きくなっても，前記長いほうの短辺側舌片によって包装ケースの変形が僅かなものに押えられることとなり，外圧に対して変形の少ない吊り下げ陳列用包装ケースを提供できるのである。
【００１０】
請求項２の発明によれば，請求項１に記載の吊り下げ陳列用製品包装ケースにおいて，前記吊り下げ陳列用包装ケースを展開した状態で，前記長辺側舌片及び前記他方の短辺側舌片と前記開口部との間に形成された折り曲げ線は，同一線上に位置するように形成され，前記一方の短辺側舌片と前記開口部との間に形成された折り曲げ線は，前記長辺側舌片及び前記他方の短辺側舌片と前記開口部との間に形成された折り曲げ線より，前記ケースの肉厚分だけ当該ケースの底面方向に形成したので，
各短辺側舌片を内方向に折り込んだ時に，各短辺側舌片は夫々板厚分だけオフセットして側面に垂直方向に立設されることとなり，相互に力が加わることなく重なった状態になる。従って，長辺側舌片１０で開口部７を封鎖した時に，例えば長いほうの短辺側舌片によって短いほうの短辺側舌片が開口部７からさらに内方向に折り曲げられることもないし，長辺側舌片１０が湾曲するような変形を伴わない構造を提供できると共に，包装ケースの外圧による変形に対しても強度の強い吊り下げ陳列用包装ケースを提供できるのである。
【００１１】
請求項３の発明によれば，請求項１又は請求項２に記載の吊り下げ陳列用包装ケースにおいて，前記ケースは合成樹脂材料から形成されているので，例えば展示状態においてユーザー等が手に持ったときであっても，容易に包装ケースが変形しないので，
製品展示の間にケースが変形してしまうことなく製品の信頼性をアピールできると共に，こうした強度ばかりでなく外観上優れた吊り下げ陳列用製品包装ケースを提供できるのである。
【発明を実施するための最良の形態】
【００１２】
以下に，本発明を具体化した実施形態の例を，図面を基に詳細に説明する。
図１は本願に係る吊り下げ陳列用製品包装ケースの展開図である。図２本願に係る吊り下げ陳列用包装ケースの斜視図である。図３は本願の実施例における吊り下げ陳列用製品包装ケースの（ａ）は正面から見た一部断面図であり，（ｂ）は上面から見た概略図である。図４は図３に示す矢印方向から力を加えた時の変形の様子を示す上面図と側面図であり，（ａ）は従来例の場合，（ｂ）は本願の包装ケースの場合である。図５は本願に係る吊り下げ陳列用製品包装ケースの第２の実施例である。図６は本願の第２の実施例における吊り下げ陳列用製品包装ケースの（ａ）は正面から見た一部断面図であり，（ｂ）は上面から見た概略図である。図７は本願に係る吊り下げ陳列用包装ケースをフックに吊り下げた時の斜視図である。図８は図７に示す包装ケースに使う補強材の例を示す。
【実施例１】
【００１３】
図１を用いて本願の吊り下げ陳列用製品包装ケース部材１の各部の説明を行う。
本願の包装ケース用部材１は，例えば０．２〜０．８ｍｍ程度の合成樹脂材料（例えばＰＥＴ）を用いて図１に示すような形状に形成されている。２は前面，３は後面，４，４は側面，５は底面，８は糊代，９ａ，９ｂは短辺側舌片，１０は長辺側舌片，２０は長辺側係止部であり夫々折り曲げ線で区切られて一体的に形成されている。
底面５は，舌片５ａ，５ｂ，５ｃ，５ｄの各舌片からなる。
短辺側舌片９ａ，９ｂは，側面４，４に折り曲げ線４ａ，４ｂを介して延設されており，夫々異なる寸法で形成されている。
長辺側舌片１０は，前面２に折り曲げ線２ａを介して連続して外方向に延設された中間舌片１１と，先端舌片１２とからなり，前記中間舌片１１と先端舌片１２とは折り曲げ線１３を介して一体に形成されており，当該折り曲げ線１３の両端部には切り込み１４，１４が形成されている。
【００１４】
長辺側係止部２０は，後面３に連続して外方向に延設された中間係止部２１と，当該中間係止部２１に延設して所定の幅を有して形成された折畳線２３と，これに連続して設けた先端係止部２２とからなる。
また，長辺側係止部２０には，前記折畳線２３に沿って前記先端係止部２２を内側方向に折畳んだときに，前記先端係止部２２と中間係止部２１との相対向する位置に，吊り下げ陳列用フックを挿入可能な吊り下げ孔２５ａ，２５ｂが形成されている。
尚，本願の吊り下げ陳列用製品包装ケース部材１の各部はパッケージ内への折り込みが行い易いように，夫々の幅が最適化されている。
【００１５】
このように構成された吊り下げ陳列用製品包装ケース部材１を用いて吊り下げ陳列用製品包装ケースを形成するためには，先ず前面２，後面３，側面４，４を折り曲げ線に沿って折り曲げ，前記糊代８と糊代の無い側の側面４と接着剤等で糊付けする。
次に，底面は舌片５ａ，５ｂ，５ｃ，５ｄを折り曲げと重ね合わせによって周知の所謂地獄底タイプの底面として組み付けられる。これによって上端側には短辺側舌片９ａ，９ｂと長辺側舌片１０と長辺側係止部２０とに囲まれて開口部７が形成されることになり，この開口部７を用いて製品の出し入れをするのである。図２にこの状態の包装ケースの斜視図を示す。
【００１６】
次に図２を用いて長辺側舌片１０と長辺側係止部２０の組付けについて説明する。
本願の第１の実施例によれば，先ず前記長辺側係止部２０の先端係止片２２を前記折畳線２３に沿って内方向に折畳むことで，前記先端係止片２２の先端部を開口部７に折り込む。このとき吊り下げ孔２５ａ，２５ｂとは相対向した位置に配設されており，吊り下げ孔は二重となるように形成されている。
次に一対からなる短辺側舌片９ａ，９ｂを折り曲げ線４ａ，４ｂに沿って内方向に折り曲げる。この短辺側舌片９ａ，９ｂは側面４，４の上端に前記折り曲げ線４ａ，４ｂを介して延設されており，本願の実施例によれば，短辺側舌片９ａは長さが前面２の上端の寸法（言い換えれば長辺側舌片１０と前面２の延設点に形成された折り曲げ線２ａの長さ）の半分より長く，前面２の上端の長さよりやや短い寸法となるように形成されており，横幅は側面４のよりやや狭い寸法で形成されており，短辺側舌片９ｂは，前面２の上端の半分より小さくなるように形成されている。
これらの短辺舌片は先ず短辺側舌片９ｂを内方向に折り曲げた後，短辺側舌片９ａを内方向に折り曲げる。これによって，短辺側舌片９ａは短辺側舌片９ｂの外方向側に重なるように配設される。
次に，前記長辺側舌片１０と前面２との間に形成された折り曲げ線２ａに沿って中間舌片１１を内方向に折り曲げつつ，前記中間舌片１１と前記先端舌片１２との間に形成された折り曲げ線１３に沿って，前記中間舌片１１と前記先端舌片１２とが略Ｌ字形状となるように前記先端舌片１２を内方向に折り曲げる。そして前記先端舌片１２を，前記開口部７の後面２１上端と短辺側舌片９ａ，９ｂの側端とがなすスリット部分に折り込んで開口部７を封鎖する。
このように本願の第１実施例によれば，包装ケースの開口部７は，短辺側舌片９ａが短辺側舌片９ｂの外方向側に重なるように配設されると共に，長辺側舌体１０によって封鎖されるように構成されている。図３にこの時の様子を示しており，（ａ）には正面から見た一部断面図を示し，（ｂ）には長辺側舌片１０を折り込む前の上面から見た図を示す。
【００１７】
次に，本願の吊り下げ陳列用包装ケース１について更に詳細に説明する。本願の包装ケース１は，例えば図２に示す矢印方向から負荷が加わった場合に，包装ケースの変形を防止する構造を提供するためのものであり。この時の状態を図４に示す。この図４（ａ）は従来例の構成の包装ケースの状態を示す図であり，図５（ｂ）は本願に係る第１実施例の構成の状態を示す図である。
【００１８】
従来例について図４（ａ）基づいて説明すると，先ず短辺側舌片９，９を夫々内側方向に折り曲げてから，長辺側舌片１０を開口部７に折り込んで,当該開口部７を封鎖する。この時，長辺側舌片１０を構成する先端舌片１１と中間舌片１２との間に形成された折り曲げ線１３の両端部には所定長さのスリット１４が形成されており，上述のように長辺側舌片１０で開口部７を封鎖した時に，前記短辺側舌片９，９の側端部の一部が前記スリットに嵌合することによって，長辺側舌片１０が容易に開いてしまわないように構成されている（図４（ａ）１−１）。この時嵌合の強度を強くしすぎると長辺側舌片１０を開放し難くなり取扱の容易性が悪くなってしまう。そこで簡単に開いてしまわないような嵌合具合にすることになる。また，この包装ケースを形成する材料が例えばＰＥＴ材の肉厚の薄い材料である場合には，素材が容易に屈曲するので嵌合状態の強度もあまり高くできない。
このような状態の包装ケース１に，例えば斜め前方向から負荷か加わった場合を考えると，この包装ケース１は材料自体の強度と，前記記長辺側舌片１０と前記短辺側舌片９，９との嵌合によってその力を吸収することになる。そこで負荷が更に大きくなると包装ケースが変形（図４（ａ）１−２）して，結局例えば長辺側舌片１０が外方向に開いたり，短辺側舌片９，９にも外方向に開いたり，内方向に折り曲がるような力が加わって，前記嵌合部の嵌合が外れてしまって，開口部の封鎖ができなくなるといった状態となった（図４（ａ）１−３）。
【００１９】
次に本願の第１実施例について図４（ｂ）基づいて説明する。先ず短辺側舌片９ａ，９ｂを夫々折り曲げ線４ａ，４ｂに沿って内側方向に折り曲げる。この短辺側舌片９ａは，その長さが包装ケースの横幅（言い換えれば折り曲げ線２ａの長さ）よりやや短い寸法で形成されており，短辺側舌片９ｂは，包装ケースの横幅の半分より短い寸法で形成されている。そこでます短辺側舌片９ｂを内方向に折り曲げてから，この短辺側舌片９ｂに重なるように短辺側舌片９ａを折り曲げる。その後，長辺側舌片１０を開口部７に折り込んで,当該開口部７を封鎖する。この構成においても長辺側舌片１０を構成する先端舌片１１と中間舌片１２との間に形成された折り曲げ線１３の両端部には所定長さのスリット１４が形成されており，上述のように長辺側舌片１０で開口部７を封鎖した時に，前記短辺側舌片９ａ，９ｂの側端部の一部が前記スリットに１４に嵌合することによって，長辺側舌片１０が容易に開いてしまわないように構成されている（図４（ｂ）１−１）。
このような状態の包装ケースに，従来例と同様に例えば斜め前方向から負荷か加わった場合を考えると，この包装ケースは材料自体の強度と，前記記長辺側舌片１０と前記短辺側舌片９ａ，９ｂとの嵌合によってその力を吸収するばかりでなく，前記短辺側舌片９ｂと中間舌片１２との間に挟まれた，前記短辺側舌片９ａの先端部が，包装ケースの変形に合わせて，後面３の内側面（力の加わる方向によっては前面２の内面側）に当接する用に構成されることによって，前記外圧によって包装ケースが変形しようとする力を更に吸収ことになる。これによって負荷が大きくなっても，前記短辺側舌片９ａによって包装ケースの変形を僅かなものに押えるのである（図４（ｂ）１−２）。従って本願の第１実施例の構成によれば，従来からの構造に比べて，長辺側舌片１０が外方向に開いたり，短辺側舌片９ａ，９ｂが外方向に開いたり，内方向に更に折り曲がるようなことなく，開口部の封鎖ができる外圧に強い包装ケースを提供できるのである（図４（ｂ）１−３）。
【実施例２】
【００２０】
次に本発明の第２の実施形態を説明する。尚，以下の説明では，上記第１の実施形態の吊り下げ陳列用製品包装ケースと同様の構成要素については同一符号を付与し，詳細な説明は省略する。
【００２１】
この第２実施例では，前記短辺側舌片９ａ，９ｂが相互に重なることによって，この重なり部分が長辺側舌片１０の封鎖時に影響しないようにしたものである。即ちこの第２実施例では，長辺側舌片１０と前面２との折り曲げ線２ａと，短辺側舌片９ａと側面４との折り曲げ線４ａは同一線上に配設されるように形成されており，短辺側舌片９ｂと側面４との折り曲げ線４ｂは，前記折り曲げ線２ａ，４ａがなす位置から，前記短辺側舌片の板厚（所謂，包装ケースの材料の板厚。）分だけ底面方向にオフセットした位置に形成してある。つまり短辺側舌片９ａ，９ｂを内方向に折り込んだ時に，短辺側舌片９ａと９ｂは夫々板厚分だけオフセットした位置に，側面４，４に垂直方向に立設されることとなり，相互に力が加わることなく重なった状態になる。従って，長辺側舌片１０で開口部７を封鎖した時に，例えば短辺側舌片９ａによって短辺側舌片９ｂが開口部７からさらに内方向に折り曲げられる力が働くこともないし，この重なり部分によって長辺側舌片１０が湾曲するような変形を伴わない構造を提供できると共に，包装ケースの外圧による変形に対しても強度の強い吊り下げ陳列用包装ケースを提供できるのである。
【００２２】
尚，本願の第１実施例は包装ケース１の材料を合成樹脂材料（例えばＰＥＴ）から形成した例を示したが，この実施例に限定されるものではなく例えば板紙材を用いて形成しても良いし，限定されるものではない。
合成樹脂で形成した場合は，包装ケース１に入れた内容物の表示等をケース部材１に直接印刷をしても良いし，透明材料を用いて形成し，収納された物品の型式名や取扱説明等を印刷した板紙等を補強材２８として備えさせることによって，外観的にも強度的にも優れた吊り下げ陳列用製品包装ケースを提供するように構成しても良い。このときの実施例を図７，８に示す。
【００２３】
このように，本願の実施例によれば，簡単な構造でコストアップすることなく，且つ，特別な生産工程や生産機械を導入することもなく，外部から力が加わっても包装ケース１の変形を起すことのない吊り下げ陳列用包装ケース１を提供できるので，輸送工程における変形や長辺側舌片１０が外れるといったこともなく，更には展示状態においてユーザー等が手に持ったときであっても，容易に包装ケースが変形しないし，製品展示の間にケースが変形してしまうことなく製品の信頼性をアピールできると共に，こうした強度ばかりでなく外観上優れた吊り下げ陳列用製品包装ケースを提供できるのである。
尚，本発明は上記実施の形態に限定されるものではなく，本発明の趣旨を逸脱しない範囲で各部構成を適宜に変更して実施することも可能である。
【図面の簡単な説明】
【００２４】
【図１】本願に係る第１実施例の吊り下げ陳列用製品包装ケースの展開図である。
【図２】本願に係る第１実施例の吊り下げ陳列用包装ケースの組立を説明する斜視図である。
【図３】本願の実施例における吊り下げ陳列用製品包装ケースの（ａ）は正面から見た一部断面図であり，（ｂ）は上面から見た概略図である。
【図４】図３に示す矢印方向から力を加えた時の変形の様子を示す上面図と側面図であり，（ａ）は従来例の場合，（ｂ）は本願の包装ケースの場合である。
【図５】本願に係る吊り下げ陳列用製品包装ケースの第２実施例である。
【図６】本願の第２実施例における吊り下げ陳列用製品包装ケースの（ａ）は正面から見た一部断面図であり，（ｂ）は上面から見た概略図である。
【図７】本願に係る吊り下げ陳列用包装ケースをフックに吊り下げた時の斜視図である。
【図８】図７に示す実施例に使われる補強材の実施例である。
【符号の説明】
【００２５】
１…吊り下げ陳列用製品包装ケース，２…前面，２ａ…折り曲げ線，３…後面，４…側面，４ａ，４ｂ…折り曲げ線，５…底面，７…開口部，８…糊代，９ａ，９ｂ…短辺側舌片，１０…長辺側舌片，１１…中間舌片，１２…先端舌片，１３…折り返し線，１４…スリット，２０…長辺側係止片，２１…中間係止片，２２…先端係止片，２３…折畳線，２５…吊り下げ孔，２８…補強材，３０…吊り下げ用フック，
【図１】
2005335721.tif 000003
【図２】
2005335721.tif 000004
【図３】
2005335721.tif 000005
【図４】
2005335721.tif 000006
【図５】
2005335721.tif 000007
【図６】
2005335721.tif 000008
【図７】
2005335721.tif 000009
【図８】
2005335721.tif 000010